(57)【特許請求の範囲】
【請求項１】
第１送受信ノードと第２送受信ノードとの間のコネクションを設定する手順において、該第１送受信ノードが、該第２送受信ノードに対して、該第１送受信ノードの周辺セルの物理セル識別情報とマルチポイント協調送受信処理における品質測定処理用のチャネル状態情報用参照信号とを関連付けて通知するコネクション設定要求信号を送信する工程を有することを特徴とする移動通信方法。
【請求項２】
第１送受信ノードと第２送受信ノードとの間のコネクションを設定する手順において、該第２送受信ノードが、該第１送受信ノードに対して、該第２送受信ノードの周辺セルの物理セル識別情報とマルチポイント協調送受信処理における品質測定処理用のチャネル状態情報用参照信号とを関連付けて通知するコネクション設定応答信号を送信する工程を有することを特徴とする移動通信方法。
【請求項３】
第１送受信ノードと第２送受信ノードとの間の設定情報を変更する手順において、該第１送受信ノードが、該第２送受信ノードに対して、該第１送受信ノードの周辺セルの物理セル識別情報とマルチポイント協調送受信処理における品質測定処理用のチャネル状態情報用参照信号とを関連付けて通知する設定情報変更信号を送信する工程を有することを特徴とする移動通信方法。
【請求項４】
第１送受信ノードと第２送受信ノードとの間のコネクションを設定する手順が完了した後、該第２送受信ノードが、該第１送受信ノードがマルチポイント協調送受信処理の対象エリア内に設置されていると判断した場合に、該第１送受信ノードに対して、マルチポイント協調送受信処理設定情報要求信号を送信する工程と、
前記第１送受信ノードが、前記マルチポイント協調送受信処理設定情報要求信号に応じて、前記第２送受信ノードに対して、該第１送受信ノードの周辺セルの物理セル識別情報と前記マルチポイント協調送受信処理における品質測定処理用のチャネル状態情報用参照信号とを関連付けて通知する工程とを有することを特徴とする移動通信方法。
【請求項５】
マルチポイント協調送受信処理の対象エリアを管理している運用保守装置が、該対象エリア内の送受信ノードに対して、該送受信ノード配下のセルの物理セル識別情報と該マルチポイント協調送受信処理における品質測定処理用のチャネル状態情報用参照信号とを関連付けて通知する工程を有することを特徴とする移動通信方法。
【発明の詳細な説明】
【技術分野】
【０００１】
本発明は、移動通信方法に関する。
【背景技術】
【０００２】
ＬＴＥ（Ｌｏｎｇ  Ｔｅｒｍ  Ｅｖｏｌｕｔｉｏｎ）方式において、セル端に位置する移動局ＵＥにおけるスループットの改善等を図ることを目的として、ＣｏＭＰ（Ｃｏｏｒｄｉｎａｔｅｄ  Ｍｕｌｔｉ-Ｐｏｉｎｔ、マルチポイント協調）送受信処理を適用することについて検討されている。
【０００３】
かかるＣｏＭＰ送受信処理は、地理的に離れた複数の送受信ノード（ＣｏＭＰ用送信ポイント）の間で、例えば、無線基地局ｅＮＢや基地局用無線装置ＲＲＥ（Ｒｅｍｏｔｅ  Ｒａｄｉｏ  Ｅｑｕｉｐｍｅｎｔ）やリレーノードＲＮ等の間で、共有データチャネル信号の送受信やスケジューリングやビームフォーミング等を協調制御する処理である。
【先行技術文献】
【非特許文献】
【０００４】
【非特許文献１】３ＧＰＰ  ＴＲ３６.８１９
【発明の概要】
【発明が解決しようとする課題】
【０００５】
しかしながら、マクロセルやピコセル等が混在するＨｅｔｅｒｏｇｅｎｅｏｕｓなネットワーク環境では、マクロセル及びピコセルにおいて同じＰＣＩ（Ｐｈｙｓｉｃａｌ  Ｃｅｌｌ  Ｉｄｅｎｔｉｔｙ：物理セル識別情報）が使用されるケースが想定される。
【０００６】
ここで、ＣＲＳ（Ｃｅｌｌ  ｓｐｅｃｉｆｉｃ  Ｒｅｆｅｒｅｎｃｅ  Ｓｉｇｎａｌ）は、ＰＣＩに基づいて設定されるように構成されている。したがって、かかるＨｅｔｅｒｏｇｅｎｅｏｕｓなネットワーク環境において、周辺セルで同じＰＣＩが用いられている場合、ＣＲＳを用いた品質測定処理に不具合が生じる可能性がある。
【０００７】
すなわち、かかるケースにおいて、移動局ＵＥが、ＣＲＳを用いて、ＣｏＭＰ送受信処理における品質測定処理を行った場合、かかる移動局ＵＥのサービングセルを管理する無線基地局ｅＮＢは、かかる品質測定処理の結果に基づいて、ＣｏＭＰ送受信処理を開始すべきか否かについて判断することができないという問題点があった。
【０００８】
そこで、本発明は、上述の課題に鑑みてなされたものであり、Ｈｅｔｅｒｏｇｅｎｅｏｕｓなネットワーク環境において、無線基地局が、ＣｏＭＰ送受信処理における品質測定処理の結果に基づいて、適切に、ＣｏＭＰ送受信処理を開始すべきか否かについて判断することができる移動通信方法を提供することを目的とする。
【課題を解決するための手段】
【０００９】
本発明の第１の特徴は、移動通信方法であって、第１送受信ノードと第２送受信ノードとの間のコネクションを設定する手順において、該第１送受信ノードが、該第２送受信ノードに対して、該第１送受信ノードの周辺セルの物理セル識別情報とマルチポイント協調送受信処理における品質測定処理用のチャネル状態情報用参照信号とを関連付けて通知するコネクション設定要求信号を送信する工程を有することを要旨とする。
【００１０】
本発明の第２の特徴は、移動通信方法であって、第１送受信ノードと第２送受信ノードとの間のコネクションを設定する手順において、該第２送受信ノードが、該第１送受信ノードに対して、該第２送受信ノードの周辺セルの物理セル識別情報とマルチポイント協調送受信処理における品質測定処理用のチャネル状態情報用参照信号とを関連付けて通知するコネクション設定応答信号を送信する工程を有することを要旨とする。
【００１１】
本発明の第３の特徴は、移動通信方法であって、第１送受信ノードと第２送受信ノードとの間の設定情報を変更する手順において、該第１送受信ノードが、該第２送受信ノードに対して、該第１送受信ノードの周辺セルの物理セル識別情報とマルチポイント協調送受信処理における品質測定処理用のチャネル状態情報用参照信号とを関連付けて通知する設定情報変更信号を送信する工程を有することを要旨とする。
【００１２】
本発明の第４の特徴は、移動通信方法であって、第１送受信ノードと第２送受信ノードとの間のコネクションを設定する手順が完了した後、該第２送受信ノードが、該第１送受信ノードがマルチポイント協調送受信処理の対象エリア内に設置されていると判断した場合に、該第１送受信ノードに対して、マルチポイント協調送受信処理設定情報要求信号を送信する工程と、前記第１送受信ノードが、前記マルチポイント協調送受信処理設定情報要求信号に応じて、前記第２送受信ノードに対して、該第１送受信ノードの周辺セルの物理セル識別情報と前記マルチポイント協調送受信処理における品質測定処理用のチャネル状態情報用参照信号とを関連付けて通知する工程とを有することを要旨とする。
【００１３】
本発明の第５の特徴は、移動通信方法であって、マルチポイント協調送受信処理の対象エリアを管理している運用保守装置が、該対象エリア内の送受信ノードに対して、該送受信ノード配下のセルの物理セル識別情報と該マルチポイント協調送受信処理における品質測定処理用のチャネル状態情報用参照信号とを関連付けて通知する工程を有することを要旨とする。
【発明の効果】
【００１４】
以上説明したように、本発明によれば、Ｈｅｔｅｒｏｇｅｎｅｏｕｓなネットワーク環境において、無線基地局が、ＣｏＭＰ送受信処理における品質測定処理の結果に基づいて、適切に、ＣｏＭＰ送受信処理を開始すべきか否かについて判断することができる移動通信方法を提供することができる。
【図面の簡単な説明】
【００１５】
【図１】本発明の第１の実施形態に係る移動通信システムの全体構成図である。
【図２】本発明の第１の実施形態に係る送受信ノードの機能ブロック図である。
【図３】本発明の第１の実施形態に係る移動通信システムの動作を説明するシーケンス図である。
【図４】本発明の第１の実施形態に係る移動通信システムで用いられる「Ｘ２  Ｓｅｔｕｐ  Ｒｅｑｕｅｓｔ」のフォーマット例を示す図である。
【図５】本発明の第１の実施形態に係る移動通信システムで用いられる「Ｘ２  Ｓｅｔｕｐ  Ｒｅｓｐｏｎｓｅ」のフォーマット例を示す図である。
【図６】本発明の第１の実施形態に係る移動通信システムで用いられる「ｅＮＢ  Ｃｏｎｆｉｇｕｒａｔｉｏｎ  Ｕｐｄａｔｅ」のフォーマット例を示す図である。
【図７】本発明の第１の実施形態に係る移動通信システムの動作を説明するシーケンス図である。
【図８】本発明の変更例１に係る移動通信システムの全体構成図である。
【図９】本発明の変更例１に係る運用保守装置の機能ブロック図である。
【図１０】本発明の変更例１に係る移動通信システムで用いられるＮＲＴの一例を示す図である。
【発明を実施するための形態】
【００１６】
（本発明の第１の実施形態に係る移動通信システム）
図１乃至図７を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１７】
本実施形態に係る移動通信システムは、複数の送受信ノード（ＣｏＭＰ用送信ポイント）を用いて、ＣｏＭＰ送受信処理を行うことができるように構成されている。
【００１８】
なお、ＣｏＭＰ送受信処理が提供される可能性があるエリア、すなわち、ＣｏＭＰ送受信処理の対象エリアを「Ｃｏｏｒｄｉｎａｔｉｏｎ  Ａｒｅａ」と呼ぶ。
【００１９】
かかるＣｏＭＰ送受信処理には、「ＪＴ（Ｊｏｉｎｔ  Ｔｒａｎｓｍｉｓｓｉｏｎ）」や「ＤＣＳ（Ｄｙｎａｍｉｃ  Ｃｅｌｌ  Ｓｅｌｅｃｔｉｏｎ）」や「ＣＳ/ＣＢ（Ｃｏｏｒｄｉｎａｔｅｄ  Ｓｃｈｅｄｕｌｉｎｇ/Ｂｅａｍｆｏｒｍｉｎｇ）」が含まれている。
【００２０】
ここで、「ＪＴ」は、複数のセルから、すなわち、サービングセル以外のセルからも、移動局ＵＥに対して、共有データチャネル信号を送信する処理である。
【００２１】
また、「ＤＣＳ」は、チャネル品質情報（ＣＱＩ：Ｃｈａｎｎｅｌ  Ｑｕａｌｉｔｙ  Ｉｎｄｉｃａｔｏｒ）に基づいて、高速に、１つのセルを選択し、選択したセルから、移動局ＵＥに対して、共有データチャネル信号を送信する処理である。
【００２２】
さらに、「ＣＳ/ＣＢ」は、サービングセルと周辺セルとの間で、スケジューリングやビームフォーミングを協調する処理である。
【００２３】
図１（ａ）及び図１（ｂ）の例では、無線基地局ｅＮＢ（送受信ノード）によって管理されているセル（例えば、マクロセル）１内に、複数の送受信ノード１０Ａ〜１０Ｄによって管理されているセル（例えば、ピコセルやフェムトセルやＣＳＧ（Ｃｌｏｓｅｄ  Ｓｕｂｓｃｒｉｂｅｒ  Ｇｒｏｕｐ）セル）１０Ａ〜１０Ｄが設定されており、無線基地局ｅＮＢによって管理されているセル（例えば、マクロセル）２内に、複数の送受信ノード２０Ａ〜２０Ｄによって管理されているセル（例えば、ピコセルやフェムトセルやＣＳＧセル）２０Ａ〜２０Ｄが設定されており、無線基地局ｅＮＢによって管理されているセル（例えば、マクロセル）３内に、複数の送受信ノード３０Ａ〜３０Ｄによって管理されているセル（例えば、ピコセルやフェムトセルやＣＳＧセル）３０Ａ〜３０Ｄが設定されている。
【００２４】
ここで、同一の「Ｃｏｏｒｄｉｎａｔｉｏｎ  Ａｒｅａ」内のセルにおいて、ＣｏＭＰ送受信処理が提供される場合、かかるセルにおいて、同一のＰＣＩが用いられるように構成されていてもよいし、異なるＰＣＩが用いられるように構成されていてもよい。
【００２５】
なお、本実施形態に係る移動通信システムにおいて、図１（ａ）に示すように、セル１０Ａ〜１０Ｄによって「Ｃｏｏｒｄｉｎａｔｉｏｎ  Ａｒｅａ  ＃Ａ」が形成され、セル２０Ａ〜２０Ｄによって「Ｃｏｏｒｄｉｎａｔｉｏｎ  Ａｒｅａ  ＃Ｂ」が形成され、セル３０Ａ〜３０Ｄによって「Ｃｏｏｒｄｉｎａｔｉｏｎ  Ａｒｅａ  ＃Ｃ」が形成されるように構成されていてもよい。
【００２６】
或いは、本実施形態に係る移動通信システムにおいて、図１（ｂ）に示すように、セル１０Ａ〜１０Ｄ、セル２０Ａ〜２０Ｄ及びセル３０Ａ〜３０Ｄによって、単一の「Ｃｏｏｒｄｉｎａｔｉｏｎ  Ａｒｅａ  ＃Ｘ」が形成されるように構成されていてもよい。
【００２７】
また、各セルでは、ＣＲＳに加えて、ＣＳＩ-ＲＳ（Ｃｈａｎｎｅｌ  Ｓｔａｔｅ  Ｉｎｆｏｒｍａｔｉｏｎ-Ｒｅｆｅｒｅｎｃｅ  Ｓｉｇｎａｌ）を送信することができるように構成されている。
【００２８】
ここで、ＣＲＳは、ＬＴＥのＲｅｌ-８/９方式で規定されている参照信号であって、各セル内の全ての移動局ＵＥに対して共通に設定される参照信号である。
【００２９】
一方、ＣＳＩ-ＲＳは、ＬＴＥのＲｅｌ-１０方式で規定されている参照信号であって、ＲＲＣ（Ｒａｄｉｏ  Ｒｅｓｏｕｒｃｅ  Ｃｏｎｔｒｏｌ）メッセージを用いて移動局ＵＥごとに個別に設定される参照信号である。
【００３０】
ＣＳＩ-ＲＳは、サービングセルや周辺セル（ハンドオーバ先候補やＣｏＭＰ送受信処理の対象候補）等の品質測定処理のために用いられてもよいし、ＣｏＭＰ送受信処理が行われているＣｏＭＰ用送信ポイントやサービングセルにおけるＣＱＩを測定するために用いられてもよい。
【００３１】
図２に示すように、本実施形態に係る送受信ノードｅＮＢ/１０Ａ〜１０Ｄ/２０Ａ〜２０Ｄ/３０Ａ〜３０Ｄ（以下、代表して、送受信ノード１と記載）は、判断部１１と、送信部１２と、受信部１３とを具備している。ここで、本実施形態に係る送受信ノード１は、例えば、無線基地局ｅＮＢや基地局用無線装置ＲＲＥやリレーノードＲＮ等によって構成されている。
【００３２】
判断部１１は、送信ポイント１が「Ｃｏｏｒｄｉｎａｔｉｏｎ  Ａｒｅａ」内に設置されているか否かについて判断するように構成されている。例えば、判断部１１は、ＧＰＳ等の測位手段を用いて、かかる判断を行うように構成されていてもよい。
【００３３】
また、判断部１１は、送信ポイント１がＣｏＭＰ送受信処理に対応しているか否かについて判断するように構成されている。
【００３４】
なお、判断部１１は、周辺の送受信ノードとの間の「Ｘ２  Ｓｅｔｕｐ手順」が完了した後に、かかる周辺の送受信ノードが「Ｃｏｏｒｄｉｎａｔｉｏｎ  Ａｒｅａ」内に設置されているか否かについて判断するように構成されている。
【００３５】
送信部１２は、周辺の送受信ノードに対して、各種信号を送信するように構成されている。
【００３６】
受信部１３は、周辺の送受信ノードから、各種信号を受信するように構成されている。
【００３７】
以下、図３乃至図７を参照して、本実施形態に係る移動通信システムの動作について説明する。図３乃至図７の例では、送受信ノードとして、無線基地局ｅＮＢ＃１及び無線基地局ｅＮＢ＃２を例に挙げて説明する。
【００３８】
第１に、図３乃至図５を参照して、本実施形態に係る移動通信システムの動作例１について説明する。
【００３９】
図３に示すように、新たに設置された無線基地局ｅＮＢ＃１は、ＣｏＭＰ送受信処理に対応しており、かつ、「Ｃｏｏｒｄｉｎａｔｉｏｎ  Ａｒｅａ」に設置されると判断した場合に、ステップＳ１００１において、周辺の無線基地局ｅＮＢ＃２に対して、無線基地局ｅＮＢ＃１の周辺セルのＰＣＩとＣｏＭＰ送受信処理における品質測定処理用のＣＳＩ-ＲＳとを関連付けて通知する「Ｘ２  Ｓｅｔｕｐ  Ｒｅｑｕｅｓｔ」を送信する。
【００４０】
例えば、無線基地局ｅＮＢ＃１は、図４に示す「Ｘ２  Ｓｅｔｕｐ  Ｒｅｑｕｅｓｔ」内の情報要素「Ｓｅｒｖｅｄ  Ｃｅｌｌｓ」内の情報要素「Ｎｅｉｇｈｂｏｕｒ  Ｉｎｆｏｒｍａｔｉｏｎ」内の情報要素「ＰＣＩ」によって、無線基地局ｅＮＢ＃１の周辺セルのＰＣＩを通知し、かかる情報要素「Ｎｅｉｇｈｂｏｕｒ  Ｉｎｆｏｒｍａｔｉｏｎ」内の情報要素「ＣＳＩ-ＲＳ」によって、かかる周辺セルで用いられるＣｏＭＰ送受信処理における品質測定処理用のＣＳＩ-ＲＳを通知する。
【００４１】
ステップＳ１００２において、無線基地局ｅＮＢ＃２は、無線基地局ｅＮＢ＃１に対して、無線基地局ｅＮＢ＃２の周辺セルのＰＣＩとＣｏＭＰ送受信処理における品質測定処理用のＣＳＩ-ＲＳとを関連付けて通知する「Ｘ２  Ｓｅｔｕｐ  Ｒｅｓｐｏｎｓｅ」を送信する。
【００４２】
例えば、無線基地局ｅＮＢ＃２は、図５に示す「Ｘ２  Ｓｅｔｕｐ  Ｒｅｓｐｏｎｓｅ」内の情報要素「Ｓｅｒｖｅｄ  Ｃｅｌｌｓ」内の情報要素「Ｎｅｉｇｈｂｏｕｒ  Ｉｎｆｏｒｍａｔｉｏｎ」内の情報要素「ＰＣＩ」によって、無線基地局ｅＮＢ＃２の周辺セルのＰＣＩを通知し、かかる情報要素「Ｎｅｉｇｈｂｏｕｒ  Ｉｎｆｏｒｍａｔｉｏｎ」内の情報要素「ＣＳＩ-ＲＳ」によって、かかる周辺セルで用いられるＣｏＭＰ送受信処理における品質測定処理用のＣＳＩ-ＲＳを通知する。
【００４３】
第２に、図３及び図６を参照して、本実施形態に係る移動通信システムの動作例２について説明する。
【００４４】
図３に示すように、設定情報を変更した無線基地局ｅＮＢ＃１は、ステップＳ２００１において、周辺の無線基地局ｅＮＢ＃２に対して、無線基地局ｅＮＢ＃１の周辺セルのＰＣＩとＣｏＭＰ送受信処理における品質測定処理用のＣＳＩ-ＲＳとを関連付けて通知する「ｅＮＢ  Ｃｏｎｆｉｇｕｒａｔｉｏｎ  Ｕｐｄａｔｅ」を送信する。
【００４５】
例えば、無線基地局ｅＮＢ＃１は、図６に示す「ｅＮＢ  Ｃｏｎｆｉｇｕｒａｔｉｏｎ  Ｕｐｄａｔｅ」内の情報要素「Ｓｅｒｖｅｄ  Ｃｅｌｌｓ  Ｔｏ  Ａｄｄ」内の情報要素「Ｎｅｉｇｈｂｏｕｒ  Ｉｎｆｏｒｍａｔｉｏｎ」内の情報要素「ＰＣＩ」によって、追加された無線基地局ｅＮＢ＃１の周辺セルのＰＣＩを通知し、かかる情報要素「Ｎｅｉｇｈｂｏｕｒ  Ｉｎｆｏｒｍａｔｉｏｎ」内の情報要素「ＣＳＩ-ＲＳ」によって、かかる周辺セルで用いられるＣｏＭＰ送受信処理における品質測定処理用のＣＳＩ-ＲＳを通知する。
【００４６】
また、無線基地局ｅＮＢ＃１は、図６に示す「ｅＮＢ  Ｃｏｎｆｉｇｕｒａｔｉｏｎ  Ｕｐｄａｔｅ」内の情報要素「Ｓｅｒｖｅｄ  Ｃｅｌｌｓ  Ｔｏ  Ｍｏｄｉｆｙ」内の情報要素「Ｎｅｉｇｈｂｏｕｒ  Ｉｎｆｏｒｍａｔｉｏｎ」内の情報要素「ＰＣＩ」によって、設定情報に変更があった無線基地局ｅＮＢ＃１の周辺セルのＰＣＩを通知し、かかる情報要素「Ｎｅｉｇｈｂｏｕｒ  Ｉｎｆｏｒｍａｔｉｏｎ」内の情報要素「ＣＳＩ-ＲＳ」によって、かかる周辺セルで用いられるＣｏＭＰ送受信処理における品質測定処理用のＣＳＩ-ＲＳを通知する。
【００４７】
ステップＳ２００２において、無線基地局ｅＮＢ＃２は、無線基地局ｅＮＢ＃１に対して、「ｅＮＢ  Ｃｏｎｆｉｇｕｒａｔｉｏｎ  Ｕｐｄａｔｅ  Ａｃｋｎｏｗｌｅｄｇｅ」を送信する。
【００４８】
ここで、無線基地局ｅＮＢ＃２は、「ｅＮＢ  Ｃｏｎｆｉｇｕｒａｔｉｏｎ  Ｕｐｄａｔｅ  Ａｃｋｎｏｗｌｅｄｇｅ」によって、設定情報に変更があった無線基地局ｅＮＢ＃２の周辺セルのＰＣＩとＣｏＭＰ送受信処理における品質測定処理用のＣＳＩ-ＲＳとを関連付けて通知してもよい。
【００４９】
第３に、図７を参照して、本実施形態に係る移動通信システムの動作例３について説明する。
【００５０】
ステップＳ３００１において、新たに設置された無線基地局ｅＮＢ＃１は、ステップＳ１００１において、周辺の無線基地局ｅＮＢ＃２に対して、「Ｘ２  Ｓｅｔｕｐ  Ｒｅｑｕｅｓｔ」を送信する。
【００５１】
ステップＳ３００２において、無線基地局ｅＮＢ＃２は、無線基地局ｅＮＢ＃１に対して、「Ｘ２  Ｓｅｔｕｐ  Ｒｅｓｐｏｎｓｅ」を送信する。
【００５２】
無線基地局ｅＮＢ＃１と無線基地局ｅＮＢ＃２との間の「Ｘ２  Ｓｅｔｕｐ手順」が完了した後、無線基地局ｅＮＢ＃２は、ステップＳ３００３において、無線基地局ｅＮＢ＃１が「Ｃｏｏｒｄｉｎａｔｉｏｎ  ａｒｅａ」内に設定されていると判断した場合に、ステップＳ３００４において、無線基地局ｅＮＢ＃１に対して、「ＣｏＭＰ  Ｃｏｎｆｉｇｕｒａｔｉｏｎ  Ｒｅｑｕｅｓｔ」を送信する。
【００５３】
ステップＳ３００５において、無線基地局ｅＮＢ＃１は、「ＣｏＭＰ  Ｃｏｎｆｉｇｕｒａｔｉｏｎ  Ｒｅｑｕｅｓｔ」に応じて、無線基地局ｅＮＢ＃２に対して、無線基地局ｅＮＢ＃１の周辺セルのＰＣＩとＣｏＭＰ送受信処理における品質測定処理用のＣＳＩ-ＲＳとを関連付けて通知する「ＣｏＭＰ  Ｃｏｎｆｉｇｕｒａｔｉｏｎ  Ｒｅｓｐｏｎｓｅ」を送信する。
【００５４】
本実施形態に係る移動通信システムによれば、無線基地局ｅＮＢ＃１と無線基地局ｅＮＢ＃２との間で、周辺セルのＰＣＩとＣｏＭＰ送受信処理における品質測定処理用のＣＳＩ-ＲＳとを関連付けて通知し合うことができるため、同じＰＣＩを用いるセルが混在している環境であっても、無線基地局ｅＮＢ＃１及び無線基地局ｅＮＢ＃２が、ＣｏＭＰ送受信処理における品質測定処理の結果に基づいて、適切に、ＣｏＭＰ送受信処理を開始すべきか否かについて判断することができる。
【００５５】
（変更例１）
図８乃至図１０を参照して、本発明の変更例１に係る移動通信システムについて説明する。以下、本変更例１に係る移動通信システムについて、上述の第１の実施形態に係る移動通信システムとの相違点に着目して説明する。
【００５６】
図８に示すように、本変更例１に係る移動通信システムでは、図１に示す移動通信システムの構成に加えて、運用保守装置ＯＡＭが設けられている。
【００５７】
図９に示すように、運用保守装置ＯＡＭは、管理部２１と、送信部２２と、受信部２３とを具備している。
【００５８】
管理部２１は、上述の「Ｃｏｏｒｄｉｎａｔｉｏｎ  ａｒｅａ  ＃Ａ」〜「Ｃｏｏｒｄｉｎａｔｉｏｎ  ａｒｅａ  ＃Ｃ」を管理するように構成されている。
【００５９】
具体的には、管理部２１は、「Ｃｏｏｒｄｉｎａｔｉｏｎ  ａｒｅａ  ＃Ａ」内の送受信ノード１０Ａ〜１０ＤのＰＣＩとＣｏＭＰ送受信処理における品質測定処理用のＣＳＩ-ＲＳとを関連付けて管理するように構成されている。
【００６０】
また、管理部２１は、「Ｃｏｏｒｄｉｎａｔｉｏｎ  ａｒｅａ  ＃Ｂ」内の送受信ノード２０Ａ〜２０ＤのＰＣＩとＣｏＭＰ送受信処理における品質測定処理用のＣＳＩ-ＲＳとを関連付けて管理するように構成されている。
【００６１】
さらに、管理部２１は、「Ｃｏｏｒｄｉｎａｔｉｏｎ  ａｒｅａ  ＃Ｃ」内の送受信ノード３０Ａ〜３０ＤのＰＣＩとＣｏＭＰ送受信処理における品質測定処理用のＣＳＩ-ＲＳとを関連付けて管理するように構成されている。
【００６２】
送信部２２は、「Ｃｏｏｒｄｉｎａｔｉｏｎ  ａｒｅａ  ＃Ａ」内の送受信ノード１０Ａ〜１０Ｄに対して、送受信ノード１０Ａ〜１０Ｄ配下のセル１０Ａ〜１０ＤのＰＣＩとＣｏＭＰ送受信処理における品質測定処理用のＣＳＩ-ＲＳとを関連付けて通知する構成されている。
【００６３】
また、送信部２２は、「Ｃｏｏｒｄｉｎａｔｉｏｎ  ａｒｅａ  ＃Ｂ」内の送受信ノード２０Ａ〜２０Ｄに対して、送受信ノード２０Ａ〜２０Ｄ配下のセル２０Ａ〜２０ＤのＰＣＩとＣｏＭＰ送受信処理における品質測定処理用のＣＳＩ-ＲＳとを関連付けて通知する構成されている。
【００６４】
さらに、送信部２２は、「Ｃｏｏｒｄｉｎａｔｉｏｎ  ａｒｅａ  ＃Ｃ」内の送受信ノード３０Ａ〜３０Ｄに対して、送受信ノード３０Ａ〜３０Ｄ配下のセル３０Ａ〜３０ＤのＰＣＩとＣｏＭＰ送受信処理における品質測定処理用のＣＳＩ-ＲＳとを関連付けて通知する構成されている。
【００６５】
受信部２３は、設定情報に変更があった送受信ノード１０Ａ〜１０Ｄ/２０Ａ〜２０Ｄ/３０Ａ〜３０Ｄから、変更後の設定情報を受信するように構成されている。
【００６６】
なお、送受信ノード１０Ａ〜１０Ｄ/２０Ａ〜２０Ｄ/３０Ａ〜３０Ｄは、図１０に示すように、既存のＮＲＴ（Ｎｅｉｇｂｏｕｒ  Ｒｅｌａｔｉｏｎ  Ｔａｂｌｅ）に、ＣｏＭＰ送受信処理が行われているか否かについて示す項目「ＣｏＭＰ（ＣＳＩ-ＲＳ）」を追加し、ＣｏＭＰ送受信処理が行われているセルにおけるＣｏＭＰ送受信処理における品質測定処理用のＣＳＩ-ＲＳを管理するように構成されている。
【００６７】
本変更例１に係る移動通信システムによれば、送受信ノード１０Ａ〜１０Ｄ/２０Ａ〜２０Ｄ/３０Ａ〜３０Ｄは、それぞれ「Ｃｏｏｒｄｉｎａｔｉｏｎ  ａｒｅａ  ＃Ａ」〜「Ｃｏｏｒｄｉｎａｔｉｏｎ  ａｒｅａ  ＃Ｃ」内のセルにおけるＣｏＭＰ送受信処理における品質測定処理用のＣＳＩ-ＲＳを取得することができるため、同じＰＣＩを用いるセルが混在している環境であっても、送受信ノード１０Ａ〜１０Ｄ/２０Ａ〜２０Ｄ/３０Ａ〜３０Ｄが、ＣｏＭＰ送受信処理における品質測定処理の結果に基づいて、適切に、ＣｏＭＰ送受信処理を開始すべきか否かについて判断することができる。
【００６８】
以上に述べた本実施形態の特徴は、以下のように表現されていてもよい。
【００６９】
本実施形態の第１の特徴は、移動通信方法であって、無線基地局ｅＮＢ＃１（第１送受信ノード）と無線基地局ｅＮＢ＃２（第２送受信ノード）との間の「Ｘ２  Ｓｅｔｕｐ手順（コネクションを設定する手順）」において、無線基地局ｅＮＢ＃１が、無線基地局ｅＮＢ＃２に対して、無線基地局ｅＮＢ＃１の周辺セルのＰＣＩ（物理セル識別情報）とＣｏＭＰ送受信処理（マルチポイント協調送受信処理）における品質測定処理用のＣＳＩ-ＲＳ（チャネル状態情報用参照信号）とを関連付けて通知する「Ｘ２  Ｓｅｔｕｐ  Ｒｅｑｕｅｓｔ（コネクション設定要求信号）」を送信する工程を有することを要旨とする。
【００７０】
本実施形態の第２の特徴は、移動通信方法であって、無線基地局ｅＮＢ＃１と無線基地局ｅＮＢ＃２との間の「Ｘ２  Ｓｅｔｕｐ手順」において、無線基地局ｅＮＢ＃２が、無線基地局ｅＮＢ＃１に対して、無線基地局ｅＮＢ＃２の周辺セルのＰＣＩとＣｏＭＰ送受信処理における品質測定処理用のＣＳＩ-ＲＳとを関連付けて通知する「Ｘ２  Ｓｅｔｕｐ  Ｒｅｓｐｏｎｓｅ（コネクション設定応答信号）」を送信する工程を有することを要旨とする。
【００７１】
本実施形態の第３の特徴は、移動通信方法であって、無線基地局ｅＮＢ＃１と無線基地局ｅＮＢ＃２との間の「ｅＮＢ  Ｃｏｎｆｉｇｕｒａｔｉｏｎ  Ｕｐｄａｔｅ手順（設定情報を変更する手順）」において、無線基地局ｅＮＢ＃１が、無線基地局ｅＮＢ＃２に対して、無線基地局ｅＮＢ＃１の周辺セルのＰＣＩとＣｏＭＰ送受信処理における品質測定処理用のＣＳＩ-ＲＳとを関連付けて通知する「ｅＮＢ  Ｃｏｎｆｉｇｕｒａｔｉｏｎ  Ｕｐｄａｔｅ（設定情報変更信号）」を送信する工程を有することを要旨とする。
【００７２】
本実施形態の第４の特徴は、移動通信方法であって、無線基地局ｅＮＢ＃１と無線基地局ｅＮＢ＃２との間の「Ｘ２  Ｓｅｔｕｐ手順」が完了した後、無線基地局ｅＮＢ＃２が、無線基地局ｅＮＢ＃１が「Ｃｏｏｒｄｉｎａｔｉｏｎ  ａｒｅａ（マルチポイント協調送受信処理の対象エリア）」内に設置されていると判断した場合に、無線基地局ｅＮＢ＃１に対して、「ＣｏＭＰ  Ｃｏｎｆｉｇｕｒａｔｉｏｎ  Ｒｅｑｕｅｓｔ（マルチポイント協調送受信処理設定情報要求信号）」を送信する工程と、無線基地局ｅＮＢ＃１が、「ＣｏＭＰ  Ｃｏｎｆｉｇｕｒａｔｉｏｎ  Ｒｅｑｕｅｓｔ」に応じて、無線基地局ｅＮＢ＃２に対して、無線基地局ｅＮＢ＃１配下の周辺セルのＰＣＩとＣｏＭＰ送受信処理における品質測定処理用のＣＳＩ-ＲＳとを関連付けて通知する工程とを有することを要旨とする。
【００７３】
本実施形態の第５の特徴は、移動通信方法であって、「Ｃｏｏｒｄｉｎａｔｉｏｎ  ａｒｅａ」を管理している運用保守装置ＯＡＭが、「Ｃｏｏｒｄｉｎａｔｉｏｎ  ａｒｅａ」内の送受信ノード１０Ａ〜１０Ｄ/２０Ａ〜２０Ｄ/３０Ａ〜３０Ｄに対して、送受信ノード１０Ａ〜１０Ｄ/２０Ａ〜２０Ｄ/３０Ａ〜３０Ｄ配下のセルのＰＣＩとＣｏＭＰ送受信処理における品質測定処理用のＣＳＩ-ＲＳとを関連付けて通知する工程を有することを要旨とする。
【００７４】
なお、上述の無線基地局ｅＮＢや移動局ＵＥ送受信ノード１及び運用保守装置ＯＡＭの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ送受信ノード１及び運用保守装置ＯＡＭ内に設けられていてもよい。また、かかる記憶媒体及びプロセッサは、ディスクリートコンポーネントとして無線基地局ｅＮＢや移動局ＵＥ送受信ノード１及び運用保守装置ＯＡＭ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
ＯＡＭ…運用保守装置
ＵＥ…移動局
１、ｅＮＢ、１０Ａ〜１０Ｄ、２０Ａ〜２０Ｄ、３０Ａ〜３０Ｄ…送受信ノード
１１…判断部
１２、２２…送信部
１３、２３…受信部
２１…管理部
【図１】
0005809530.tif 000002
【図２】
0005809530.tif 000003
【図３】
0005809530.tif 000004
【図４】
0005809530.tif 000005
【図５】
0005809530.tif 000006
【図６】
0005809530.tif 000007
【図７】
0005809530.tif 000008
【図８】
0005809530.tif 000009
【図９】
0005809530.tif 000010
【図１０】
0005809530.tif 000011